(57)【要約】【課題】外部付帯物のコーナー部を長期に亘って安定して支持することができる建物の外部付帯物の支持構造を提供する。【解決手段】建物外壁面から張り出した外部付帯物１における建物出隅部２１に沿ったコーナー部１２を、建物出隅部２１から外部付帯物１のコーナー部先端１２ａに向かって斜めに張り出した斜め腕木３によって支持しており、斜め腕木３は、腕木本体部３１と、この腕木本体部３１の根元部分に一体に設けられた取付部３５とを備え、建物出隅部２１に位置する躯体角部２４の外側出隅面２６に取付部３５が被せられ、躯体角部２４の内側入隅面２７に裏当て部材６が被せられた状態で、これら取付部３５と裏当て部材６とが連結ボルト１７によって連結されることで、取付部３５と裏当て部材６とによって躯体角部２４が挟持されている。【選択図】図１
2014084659.tif 000002
【特許請求の範囲】
【請求項１】
建物外壁面から張り出した外部付帯物（１）における建物出隅部（２１）に沿ったコーナー部（１２）を、前記建物出隅部（２１）から前記外部付帯物（１）のコーナー部先端（１２ａ）に向かって斜めに張り出した斜め腕木（３）によって支持した支持構造であって、前記斜め腕木（３）は、腕木本体部（３１）と、この腕木本体部（３１）の根元部分に一体に設けられた取付部（３５）とを備え、前記建物出隅部（２１）に位置する躯体角部（２４）の外側出隅面（２６）に前記取付部（３５）が被せられ、前記躯体角部（２４）の内側入隅面（２７）に裏当て部材（６）が被せられた状態で、これら取付部（３５）と裏当て部材（６）とが連結ボルト（１７）によって連結されることで、前記取付部（３５）と裏当て部材（６）とによって前記躯体角部（２４）が挟持されていることを特徴とする建物の外部付帯物の支持構造。
【請求項２】
前記取付部（３５）は、前記外側出隅面（２６）における互いに直交する一方の面（２６ａ）に当接された第１取付プレート（３６）と、他方の面（２６ｂ）に当接された第２取付プレート（３７）とを備え、前記裏当て部材（６）は、前記内側入隅面（２７）における互いに直交する一方の面（２７ａ）に当接された第１裏当てプレート（６１）と、他方の面（２７ｂ）に当接された第２裏当てプレート（６２）とを備え、これら第１裏当てプレート（６１）と第２裏当てプレート（６２）とは一体に連結されていて、前記躯体角部（２４）を挟んで対向する前記第１取付プレート（３６）と第１裏当てプレート（６１）とが前記連結ボルト（１７）によって連結されるとともに、前記躯体角部（２４）を挟んで対向する前記第２取付プレート（３７）と第２裏当てプレート（６２）とが前記連結ボルト（１７）によって連結されている請求項１記載の建物の外部付帯物の支持構造。
【請求項３】
前記腕木本体部（３１）は、長尺の主プレート（３２）の基端部に、短尺の補強プレート（３４）を接合することによって構成され、前記取付部（３５）の第１取付プレート（３６）は、前記主プレート（３２）の基端部から延出され、前記取付部（３５）の第２取付プレート（３７）は、前記第１取付プレート（３６）に対して直交するように前記補強プレート（３４）の基端部から延出されている請求項２記載の建物の外部付帯物の支持構造。
【請求項４】
前記躯体角部（２４）は、木製柱材（２２）の互いに直交する側面に取り付けた一対の接合金具（５）に、木製梁材（２３）の端部をそれぞれ固定することによって構成され、前記連結ボルト（１７）は、前記梁材（２３）及び接合金具（５）を貫通して設けられて、前記接合金具（５）に前記梁材（２３）を止め付ける固定ボルトとして兼用されている請求項１乃至請求項３のいずれかに記載の建物の外部付帯物の支持構造。
【請求項５】
前記取付部（３５）は、前記柱材（２２）に釘（７０）又はビス止め固定されている請求項４記載の建物の外部付帯物の支持構造。
【発明の詳細な説明】
【技術分野】
【０００１】
この発明は、建物外壁面から張り出すようにして設けた庇やバルコニー等の外部付帯物を支持する支持構造に関する。
【背景技術】
【０００２】
一般に、建物外壁面から張り出すようにして設けた庇等の外部付帯物は、建物躯体から延びる腕木によって支持されている。この種の腕木は、建物外壁面に対して直交する方向に張り出していることが多い。ところが、図７に示すように、外部付帯物１００としては、建物出隅部２００に沿ったコーナー部１０１を有しているものがあり、このようなコーナー部１０１は、腕木３００によって直接支持されないことから、他の部分に比べて剛性が低くなりがちで、風雨や積雪等によって荷重がかかると、特にコーナー部先端１０１ａにおいて撓みや変形が生じ易くなっていた。
【０００３】
そこで、建物出隅部から斜めに張り出した斜め腕木によって、外部付帯物のコーナー部を直接支持するようにした支持構造が提案されている（例えば、特許文献１参照）。この支持構造によれば、外部付帯物のコーナー部の剛性を良好に維持して、コーナー部先端における撓みや変形を抑えることができる。
【先行技術文献】
【特許文献】
【０００４】
【特許文献１】実用新案登録第３０９４７１３号公報
【発明の概要】
【発明が解決しようとする課題】
【０００５】
しかしながら、従来の支持構造においては、斜め腕木の取付強度に問題があった。すなわち、斜め腕木は、建物出隅部から斜めに張り出して外部付帯物のコーナー部を支持することから、その長さは一般の腕木よりも長くなって、より大きな応力が作用することになる。ところが、特許文献１にも記載されているように、斜め腕木の取り付けに際しては、その根元部分が躯体角部に釘又はビス止めされているだけで、取付強度が十分に高められていなかった。このため、外部付帯物のコーナー部を長期に亘って安定して支持することが難しく、信頼性に乏しいといった不具合があった。
【０００６】
そこで、この発明は、上記の不具合を解消して、外部付帯物のコーナー部を長期に亘って安定して支持することができる建物の外部付帯物の支持構造の提供を目的とする。
【課題を解決するための手段】
【０００７】
上記課題を解決するため、この発明の建物の外部付帯物の支持構造は、建物外壁面から張り出した外部付帯物１における建物出隅部２１に沿ったコーナー部１２を、前記建物出隅部２１から前記外部付帯物１のコーナー部先端１２ａに向かって斜めに張り出した斜め腕木３によって支持しており、前記斜め腕木３は、腕木本体部３１と、この腕木本体部３１の根元部分に一体に設けられた取付部３５とを備え、前記建物出隅部２１に位置する躯体角部２４の外側出隅面２６に前記取付部３５が被せられ、前記躯体角部２４の内側入隅面２７に裏当て部材６が被せられた状態で、これら取付部３５と裏当て部材６とが連結ボルト１７によって連結されることで、前記取付部３５と裏当て部材６とによって前記躯体角部２４が挟持されていることを特徴としている。
【０００８】
また、前記取付部３５は、前記外側出隅面２６における互いに直交する一方の面２６ａに当接された第１取付プレート３６と、他方の面２６ｂに当接された第２取付プレート３７とを備え、前記裏当て部材６は、前記内側入隅面２７における互いに直交する一方の面２７ａに当接された第１裏当てプレート６１と、他方の面２７ｂに当接された第２裏当てプレート６２とを備え、これら第１裏当てプレート６１と第２裏当てプレート６２とは一体に連結されていて、前記躯体角部２４を挟んで対向する前記第１取付プレート３６と第１裏当てプレート６１とが前記連結ボルト１７によって連結されるとともに、前記躯体角部２４を挟んで対向する前記第２取付プレート３７と第２裏当てプレート６２とが前記連結ボルト１７によって連結されている。
【０００９】
さらに、前記腕木本体部３１は、長尺の主プレート３２の基端部に、短尺の補強プレート３４を接合することによって構成され、前記取付部３５の第１取付プレート３６は、前記主プレート３２の基端部から延出され、前記取付部３５の第２取付プレート３７は、前記第１取付プレート３６に対して直交するように前記補強プレート３４の基端部から延出されている。
【００１０】
さらにまた、前記躯体角部２４は、木製柱材２２の互いに直交する側面に取り付けた一対の接合金具５に、木製梁材２３の端部をそれぞれ固定することによって構成され、前記連結ボルト１７は、前記梁材２３及び接合金具５を貫通して設けられて、前記接合金具５に前記梁材２３を止め付ける固定ボルトとして兼用されている。また、前記取付部３５は、前記柱材２２に釘７０又はビス止め固定されている。
【発明の効果】
【００１１】
この発明の支持構造においては、斜め腕木によって外部付帯物のコーナー部を直接支持しているため、このコーナー部の剛性を良好に維持して、コーナー部先端における撓みや変形を抑えることができる。しかも、斜め腕木は、その取付部と裏当て部材とによって躯体角部を挟持することで、躯体角部に強固に取り付けられているので、外部付帯物のコーナー部を長期に亘って安定して支持することができ、信頼性を高めることができる。
【００１２】
また、斜め腕木の取付部の第１取付プレートと裏当て部材の第１裏当てプレートとを連結ボルトによって連結し、斜め腕木の取付部の第２取付プレートと裏当て部材の第２裏当てプレートとを連結ボルトによって連結することで、これらプレート及び連結ボルトが一連に繋がった状態で躯体角部を取り囲んで、躯体角部をバランス良く安定して挟持することができ、斜め腕木の取付強度をより一層高めることができる。
【００１３】
さらに、斜め腕木の腕木本体部を、主プレートの基端部に補強プレートを接合して構成することで、斜め腕木の根元部分の強度を高めることができ、しかも主プレートの基端部から第１取付プレートを延出させ、補強プレートの基端部から第２取付プレートを延出させていることから、主プレートの基端部に補強プレートを接合するだけで取付部を形成することができ、斜め腕木の製造性も向上することができる。
【００１４】
また、斜め腕木の取付部と裏当て部材とを連結する連結ボルトを、柱材に取り付けた接合金具に梁材を止め付ける固定ボルトとしても兼用することで、部品点数の削減及び施工の省力化を図ることができる。
【００１５】
さらに、斜め腕木の取付部を柱材に釘又はビス止め固定することで、斜め腕木の取付強度をより一層高めることができる。
【図面の簡単な説明】
【００１６】
【図１】本発明の一実施形態に係る建物の外部付帯物の支持構造を示す横断面図である。
【図２】庇の取付状態を示す分解斜視図である。
【図３】建物出隅部の横断面図である。
【図４】躯体角部の分解斜視図である。
【図５】斜め腕木の躯体角部への取付状態を示す分解斜視図である。
【図６】腕木の躯体への取付状態を示す分解斜視図である。
【図７】従来の建物の外部付帯物の支持構造を示す横断面図である。
【発明を実施するための形態】
【００１７】
以下、この発明の一実施形態を図面に基づいて詳細に説明する。この発明の一実施形態に係る支持構造は、図１及び図２に示すように、例えば木造住宅の外壁面から張り出すように設けた外部付帯物である庇１を、建物躯体２に取り付けた複数の金属製の腕木３、４によって支持している。
【００１８】
庇１は、複数の庇パネル１１を横並びに連続させてなり、建物出隅部２１に沿ったコーナー部１２を有している。なお、このコーナー部１２は、一側端部１４が斜め４５度にカットされた状態となっている一対の庇パネル１１を、それら一側端部１４同士を突き合わせながら、互いに直交するように配置することで構成されている。
【００１９】
建物躯体２は、複数の角柱状の木製柱材２２と複数の角柱状の木製梁材２３とを適宜接合することで構成されている。そして、建物出隅部２１に位置する躯体角部２４は、図３に示すように、柱材２２の互いに直交する側面に取り付けた一対の接合金具５に、互いに直交する梁材２３の端部をそれぞれ固定することによって構成されている。
【００２０】
接合金具５は、図４に示すように、金属板を平面視コ字状に折曲してなり、板状の柱側固定片５１と、この柱側固定片５１の上下方向に沿った両端部から張り出した左右一対の板状の梁側固定片５２とを備えている。柱側固定片５１及び梁側固定片５２には、複数のボルト挿入孔５１ａ、５２ａが上下方向に間隔をあけて形成されている。
【００２１】
この接合金具５を用いた柱材２２と梁材２３との接合は、以下のようにしてなされている。なお、柱材２２には、複数のボルト貫通孔２２ａが上下方向に間隔をあけて形成されている。梁材２３の端部には、その上下面及び端面に開放する左右一対のスリット２３ａが形成されている。さらに、梁材２３の端部には、スリット２３ａに対して直交するように、複数のボルト貫通孔２３ｂが上下方向に間隔をあけて形成されている。
【００２２】
まず、接合金具５の柱側固定片５１を、そのボルト挿入孔５１ａを柱材２２のボルト貫通孔２２ａに重ねるようにして、柱材２２の側面に当接させる。この状態から、互いに一致したボルト貫通孔２２ａ及びボルト挿入孔５１ａに固定ボルト１５を挿通させて、それら固定ボルト１５の先端部にナット１６を螺合して締め付けることで、柱材２２の側面に接合金具５の柱側固定片５１を固定する。続いて、梁材２３の端部を、そのスリット２３ａに接合金具５の梁側固定片５２を差し入れるようにして、柱材２２の側面に当接させる。この状態から、互いに一致したボルト貫通孔２３ｂ及びボルト挿入孔５２ａに固定ボルト１７（後述する連結ボルト）を挿通させて、それら固定ボルト１７の先端部にナット１８を螺合して締め付けることで、接合金具５の梁側固定片５２に梁材２３の端部を固定する。これにより、柱材２２と梁材２３とが接合金具５を介して接合されている。
【００２３】
複数の腕木３、４としては、躯体角部２４に取り付けられて、建物出隅部２１から庇１のコーナー部先端１２ａに向かって斜め方向に張り出した斜め腕木３と、躯体辺部２５に取り付けられて、建物外壁面に対して直交する方向に張り出した一般腕木４とが用いられている。そして、斜め腕木３によって庇１のコーナー部１２が支持され、一般腕木４によって庇１のコーナー部１２以外の一般部１３が支持されている。
【００２４】
斜め腕木３は、図３及び図５に示すように、庇１のコーナー部１２を支持するための腕木本体部３１と、この腕木本体部３１の根元部分に一体に設けられ、躯体角部２４に取り付けるための取付部３５とを備えている。
【００２５】
腕木本体部３１は、長尺の主プレート３２の基端部に、短尺の補強プレート３４を重ね合わせるように接合してなる。主プレート３２には、上記の庇パネル１１の一側端部１４を引っ掛けるための複数の係止片３３がプレート長手方向に間隔をあけて取り付けられ、さらに庇パネル１１の一側端部１４をボルト止めするための複数のボルト孔３２ａがプレート長手方向に間隔をあけて形成されている。また、主プレート３２には、その基端部に複数のボルト挿入孔３２ｂがプレート長手方向に間隔をあけて形成され、補強プレート３４には、複数の横長孔３４ａがプレート長手方向に間隔をあけて形成されている。そして、主プレート３２の基端部に補強プレート３４を重ね合わせた状態で、互いに一致したボルト挿入孔３２ｂ及び横長孔３４ａに接合ボルト４０を挿通させて、それら接合ボルト４０の先端部にナット４１を螺合して締め付けることで、主プレート３２の基端部に補強プレート３４が接合されている。
【００２６】
取付部３５は、主プレート３２の基端部から斜め方向に延出された第１取付プレート３６と、補強プレート３４の基端部から斜め方向に延出された第２取付プレート３７とからなり、これら第１取付プレート３６及び第２取付プレート３７が互いに直交するように配置されている。第１取付プレート３６及び第２取付プレート３７には、多数の釘挿入孔３６ａ、３７ａが形成され、さらに躯体角部２４における梁材２３のボルト貫通孔２３ｂに対応する複数のボルト挿入孔３６ｂ、３７ｂが上下方向に間隔をあけて形成されている。
【００２７】
すなわち、この斜め腕木３は、主プレート３２と第１取付プレート３６とを一体化した平面視略く字状のプレートと、補強プレート３４と第２取付プレート３７とを一体化した平面視略く字状のプレートとを組み合わせることで構成されていて、全体的に平面視略Ｙ字状となっている。
【００２８】
そして、この斜め腕木３を躯体角部２４にしっかりと取り付けるために、裏当て部材６が用いられている。この裏当て部材６は、図３及び図５に示すように、互いに直交するように一体に連結された第１裏当てプレート６１及び第２裏当てプレート６２を備え、これら第１裏当てプレート６１及び第２裏当てプレート６２の上端部間に跨って平面視略Ｌ字状の上側リブプレート６３が一体に連結され、さらに第１裏当てプレート６１及び第２裏当てプレート６２の下端部間に跨って平面視略Ｌ字状の下側リブプレート６４が一体に連結されている。第１裏当てプレート６１及び第２裏当てプレート６２には、躯体角部２４における梁材２３のボルト貫通孔２３ｂに対応する複数のボルト挿入孔６１ａ、６２ａが上下方向に間隔をあけて形成されている。
【００２９】
躯体角部２４への斜め腕木３の取り付けは、以下のようにしてなされている。まず、図５に示すように、斜め腕木３における取付部３５の第１取付プレート３６を、躯体角部２４の外側出隅面２６（外側コーナー面）における互いに直交する一方の面２６ａ（柱材２２の外側面及び柱材２２に接合した一方の梁材２３の外側面）に当接させるとともに、第２取付プレート３７を、躯体角部２４の外側出隅面２６（外側コーナー面）における互いに直交する他方の面２６ｂ（柱材２２の外側面及び柱材２２に接合した他方の梁材２３の外側面）に当接させるようにして、取付部３５を躯体角部２４の外側出隅面２６に被せる。また、裏当て部材６における第１裏当てプレート６１を、躯体角部２４の内側入隅面２７（内側コーナー面）における互いに直交する一方の面２７ａ（柱材２２に接合した一方の梁材２３の内側面）に当接させるとともに、第２裏当てプレート６２を、躯体角部２４の内側入隅面２７（内側コーナー面）における互いに直交する他方の面２７ｂ（柱材２２に接合した他方の梁材２３の内側面）に当接させるようにして、裏当て部材６を躯体角部２４の内側入隅面２７に被せる。
【００３０】
この状態から、互いに一致した第１取付プレート３６のボルト挿入孔３６ｂ、一方の梁材２３のボルト貫通孔２３ｂ、接合金具５のボルト挿入孔５２ａ、第１裏当てプレート６１のボルト挿入孔６１ａに連結ボルト１７を挿通させて、それら連結ボルト１７の先端部にナット１８を螺合して締め付けることで、躯体角部２４を挟んで対向する第１取付プレート３６と第１裏当てプレート６１とを連結する。同様に、互いに一致した第２取付プレート３７のボルト挿入孔３７ｂ、他方の梁材２３のボルト貫通孔２３ｂ、接合金具５のボルト挿入孔５２ａ、第２裏当てプレート６２のボルト挿入孔６２ａに連結ボルト１７を挿通させて、それら連結ボルト１７の先端部にナット１８を螺合して締め付けることで、躯体角部２４を挟んで対向する第２取付プレート３７と第２裏当てプレート６２とを連結する。すなわち、連結ボルト１７は、梁材２３及び接合金具５を貫通して設けられ、接合金具５に対して梁材２３を止め付ける上記の固定ボルトとして兼用されている。
【００３１】
このようにして、斜め腕木３の取付部３５と裏当て部材６とを連結ボルト１７によって連結することで、これら取付部３５と裏当て部材６とによって躯体角部２４を挟持した状態となり、単に斜め腕木３の根元部分を躯体角部２４に釘又はビス止めする場合と比べて、斜め腕木３の取付強度が十分に高められている。また、斜め腕木３をより強固に取り付けるために、第１取付プレート３６及び第２取付プレート３７の釘挿入孔３６ａ、３７ａから躯体角部２４の柱材２２へ釘７０を打ち込むことで、取付部３５を柱材２２に釘止め固定している。なお、釘止め固定に限らず、ビス止め固定としても良く、また接着剤を使用して取付部３５を柱材２２に接着しても良い。
【００３２】
一般腕木４は、図６に示すように、腕木本体部７１（主プレート）と取付部７２（取付プレート）とを一体に連結してなり、全体的に平面視略Ｔ字状となっている。そして、斜め腕木３と同様に、取付部７２と裏当て部材６とを連結ボルト１７によって連結して、取付部７２と裏当て部材６とによって躯体辺部２５を挟持することで、躯体辺部２５に強固に取り付けられている。
【００３３】
このように建物躯体２に強固に取り付けた斜め腕木３及び一般腕木４によって庇１を支持することで、庇１を長期に亘って安定して支持することができる。しかも、庇１のコーナー部１２は、斜め腕木３によって直接支持されているので、剛性を良好に維持することができ、コーナー部先端１２ａの撓みや変更を抑えることができる。
【００３４】
なお、斜め腕木３及び一般腕木４への庇１の取り付けに際しては、例えば腕木本体部３１、７１の係止片３３やボルト孔３２ａを利用して、庇パネル１１の側端部を腕木本体部３１、７１に固定している。また、図１乃至３に示すように、建物躯体２の外表面には外壁パネル７を張り付けるが、この外壁パネル７の張り付けは、庇１の取付前に限らず、庇１の取付後に行うようにしても良い。
【００３５】
以上に、この発明の実施形態について説明したが、この発明は、上記実施形態に限定されるものではなく、この発明の範囲内で種々変更して実施することが可能である。例えば、この発明の支持構造は、木造住宅に適用するだけに限らず、例えば鉄骨住宅に適用しても良い。また、上記実施形態においては、外部付帯物として庇１を例に挙げて説明したが、外部付帯物としては、庇１だけに限らず、例えばバルコニーやその他の建物外壁面から張り出したものであっても良い。
【符号の説明】
【００３６】
１・・庇（外部付帯物）、３・・斜め腕木、５・・接合金具、６・・裏当て部材、１２・・コーナー部、１２ａ・・コーナー部先端、１７・・連結ボルト、２１・・建物出隅部、２２・・木製柱材、２３・・木製梁材、２４・・躯体角部、２６・・外側出隅面、２６ａ・・外側出隅面の一方の面、２６ｂ・・外側出隅面の他方の面、２７・・内側入隅面、２７ａ・・内側入隅面の一方の面、２７ｂ・・内側入隅面の他方の面、３１・・腕木本体部、３２・・主プレート、３４・・補強プレート、３５・・取付部、３６・・第１取付プレート、３７・・第２取付プレート、６１・・第１裏当てプレート、６２・・第２裏当てプレート、７０・・釘
【図１】
2014084659.tif 000003
【図２】
2014084659.tif 000004
【図３】
2014084659.tif 000005
【図４】
2014084659.tif 000006
【図５】
2014084659.tif 000007
【図６】
2014084659.tif 000008
【図７】
2014084659.tif 000009